(57)【要約】      （修正有）【課題】少なくとも２つの異なるビット・レートを有する光信号をルーティングするように適合されたＯＡＤＭを提供すること。【解決手段】少なくとも２組のＤＷＤＭチャネル、たとえば、第１帯域幅値の１０Ｇｂ／ｓ信号の第１組のチャネルと、第２帯域幅の４０Ｇｂ／ｓ信号の第２組のチャネルとを有する。第１組は、インターリーブされたチャネルの２つのサブセットを有する。ＯＡＤＭは、それぞれチャネルの第１グループおよび第２グループに対応する第１光分枝および第２光分枝を有する。第１グループに、第１組からの第１サブセットが含まれ、第２グループに、第２組と第１組からの第２サブセットとが含まれる。チャネルの異なるグループ用の独立の処理パスを作成することができ、その結果、たとえば、既にある１０Ｇｂ／ｓサービスを中断せずに、新しい４０Ｇｂ／ｓサービスを追加し、かつ／または追加の１０Ｇｂ／ｓチャネルを配置することができる。【選択図】図３
2006005938.tif 000002
【特許請求の範囲】
【請求項１】
第１ポート、第２ポート、および第３ポートを有する複数のポートを含む光装置であって、装置が、波長に基づいて異なるポートの間で光信号をルーティングするように適合され、
前記光信号が、チャネルの複数の組に対応し、各組が、対応する帯域幅値を有する１つまたは複数のチャネルを有し、
チャネルの少なくとも２つの異なる組が、異なる帯域幅値を有し、
前記光装置が、
チャネルの第１グループに対応する光信号を前記第１ポートと前記第２ポートとの間でルーティングし、
チャネルの第２グループに対応する光信号を前記第１ポートと前記第３ポートとの間でルーティングする
ように適合されたルーティング・デバイスを含む
光装置。
【請求項２】
チャネルの前記複数の組が、チャネルの第１組および第２組を含み、
前記第１組の各チャネルが、第１帯域幅値を有し、
前記第２組の各チャネルが、第２帯域幅値を有し、
前記第１組の前記チャネルが、第１スペクトル帯域を占め、
前記第２組の前記チャネルが、第２スペクトル帯域を占め、
前記第１スペクトル帯域および前記第２スペクトル帯域が、互いに別個の連続的帯域である
請求項１に記載の発明。
【請求項３】
チャネルの前記複数の組が、チャネルの第１組、第２組、および第３組を含み、
前記第１組の各チャネルが、第１帯域幅値を有し、
前記第２組の各チャネルが、第２帯域幅値を有し、
前記第３組の各チャネルが、第３帯域幅値を有し、
前記第１組および前記第２組の前記チャネルが、第１スペクトル帯域を占め、
前記第３組の前記チャネルが、第２スペクトル帯域を占め、
前記第１スペクトル帯域および前記第２スペクトル帯域が、互いに別個の連続的帯域であり、
前記第１組の前記チャネルが、前記第２組の前記チャネルとインターリーブされる
請求項１に記載の発明。
【請求項４】
チャネルの前記第１グループが、チャネルの前記第１組の第１サブセットであり、
チャネルの前記第２グループが、チャネルの前記第２組とチャネルの前記第１組の第２サブセットとを含み、
前記第１組からのチャネルが、第１スペクトル帯域を占め、前記第１サブセットからのチャネルが、前記第２サブセットからのチャネルとインターリーブされ、
前記第２組からのチャネルが、前記第１スペクトル帯域と別個の第２スペクトル帯域を占める
請求項１に記載の発明。
【請求項５】
前記ルーティング・デバイスが、
前記第１ポートに結合され、前記第１ポートに印加される光ビームを第１ビームおよび第２ビームに分割するように適合されたバンド・スプリッタであって、前記第１ビームは、前記第１スペクトル帯域に対応し、前記第２ビームは、前記第２スペクトル帯域に対応する、バンド・スプリッタと、
前記第１光ビームを受け取り、前記ビームを第１サブビームおよび第２サブビームに分割するデインターリーバであって、（ｉ）前記第１サブビームが、前記第１サブセットに対応し、前記第２ポートに向けられ、（ｉｉ）前記第２サブビームが、前記第２サブセットに対応し、コンバイナに向けられる、デインターリーバと、
前記第２サブビームを前記第２ビームと組み合わせ、前記組み合わされたビームを前記第３ポートに向ける前記コンバイナと
を含む請求項４に記載の発明。
【請求項６】
前記ルーティング・デバイスが、
前記第３ポートに結合され、前記第３ポートに印加される光ビームを第１サブビームおよび第２サブビームに分割するように適合されたバンド・スプリッタであって、前記第１サブビームが、前記第１スペクトル帯域に対応し、前記第２サブビームが、前記第２スペクトル帯域に対応する、バンド・スプリッタと、
前記第１サブビームを受け取り、前記サブビームを前記第２ポートに印加された光ビームと組み合わせ、前記組み合わされたビームをコンバイナに向けるように適合されたインターリーバと、
前記組み合わされたビームを前記第２ビームとさらに組み合わせ、前記結果のビームを前記第１ポートに向ける前記コンバイナと
を含み、前記第２ポートに印加された前記光ビームが、チャネルの前記第１グループに対応する光信号を有し、
前記第３ポートに印加された光ビームが、チャネルの前記第２グループに対応する光信号を有する
請求項４に記載の発明。
【請求項７】
前記光装置が、光アド／ドロップ・マルチプレクサ（ＯＡＤＭ）を含み、前記ルーティング・デバイスが、前記ＯＡＤＭの一部であり、前記ＯＡＤＭが、第１光分枝および第２光分枝を含み、前記第１光分枝および前記第２光分枝の両方が、ＤＭＵＸとＭＵＸとの間に結合され、
前記ＤＭＵＸが、主入力ポートに結合され、（ｉ）チャネルの前記第１グループに対応する光信号を前記第１光分枝を介してルーティングし、（ｉｉ）チャネルの前記第２グループに対応する光信号を前記第２光分枝を介してルーティングするように適合され、
前記ＭＵＸが、主出力ポートに結合され、前記第１光分枝および前記第２光分枝を介して受け取られた光信号を前記主出力ポートにルーティングするように適合され、
各光分枝が、
チャネルの対応するグループに属する１つまたは複数の選択されたチャネルを阻止するように適合された波長ブロッカと、
前記ＤＭＵＸと前記波長ブロッカとの間に結合されたスプリッタであって、（ｉ）前記ＤＭＵＸから受け取った信号を第１スプリット信号および第２スプリット信号に分離し、（ｉｉ）前記第１スプリット信号を前記波長ブロッカに向け、前記第２スプリット信号をドロップ・ポートに向けるように適合された、スプリッタと、
前記波長ブロッカと前記ＭＵＸとの間に結合されたコンバイナであって、（ｉ）前記波長ブロッカおよびアド・ポートから受け取る信号を組み合わせ、（ｉｉ）前記組み合わされた信号を前記ＭＵＸに向けるように適合されたコンバイナと
を含む
請求項１に記載の発明。
【請求項８】
前記光装置が、光アド／ドロップ・マルチプレクサ（ＯＡＤＭ）を含み、前記ルーティング・デバイスが、前記ＯＡＤＭの一部であり、
前記ＯＡＤＭが、
主入力ポートと主出力ポートとの間に結合され、１つまたは複数の選択されたチャネルを阻止するように適合された波長ブロッカと、
前記主入力ポートと前記波長ブロッカとの間に結合され、前記主入力ポートから受け取る信号を前記波長ブロッカおよびＤＭＵＸに向けるように適合された信号スプリッタと、
前記信号スプリッタに結合され、（ｉ）チャネルの前記第１グループに対応する光信号を第１ドロップ・ポートに向け、（ｉｉ）チャネルの前記第２グループに対応する光信号を第２ドロップ・ポートに向けるように適合された前記ＤＭＵＸと、
前記波長ブロッカと前記主出力ポートとの間に結合され、前記波長ブロッカおよびＭＵＸから受け取る信号を組み合わせ、前記組み合わされた信号を前記主出力ポートに向けるように適合された信号コンバイナと、
第１アド・ポートおよび第２アド・ポートに印加される光信号を前記信号コンバイナに向けるように適合された前記ＭＵＸと
を含む請求項１に記載の発明。
【請求項９】
チャネルの第１グループに対応する光信号を光ルーティング・デバイスの第１ポートと第２ポートとの間でルーティングすることと、
チャネルの第２グループに対応する光信号を前記光ルーティング・デバイスの前記第１ポートと第３ポートとの間でルーティングすることと
を含み、前記光信号が、チャネルの複数の組に対応し、各組が、対応する帯域幅値を有する１つまたは複数のチャネルを有し、
チャネルの少なくとも２つの異なる組が、異なる帯域幅値を有する
光信号を伝送する方法。
【請求項１０】
チャネルの前記複数の組が、チャネルの第１組および第２組を含み、
前記第１組の各チャネルが、第１帯域幅値を有し、
前記第２組の各チャネルが、第２帯域幅値を有し、
前記第１組の前記チャネルが、第１スペクトル帯域を占め、
前記第２組の前記チャネルが、第２スペクトル帯域を占め、
前記第１スペクトル帯域および前記第２スペクトル帯域が、互いに別個の連続的帯域である
請求項９に記載の発明。
【発明の詳細な説明】
【技術分野】
【０００１】
本発明は、光通信機器に関し、具体的には、光アド／ドロップ・マルチプレクサ（ｏｐｔｉｃａｌ  ａｄｄ／ｄｒｏｐ  ｍｕｌｔｉｐｌｅｘｅｒ）に関する。
【背景技術】
【０００２】
本願は、両方が本願と同時に出願され、その教示が参照によって本明細書に組み込まれる、米国特許出願第１０／ｘｘｘ，ｘｘｘ号明細書、弁理士整理番号第Ｆｉｓｈｍａｎ  １９−３３−４−１２−２号および米国特許出願第１０／ｙｙｙ，ｙｙｙ号明細書、弁理士整理番号第Ｆｉｓｈｍａｎ  ２０−３４−５−１３−３号からなる米国特許出願の組の１つである。
【０００３】
近代の光通信システム、たとえば、長距離ネットワークおよびメトロ・ネットワークは、１０Ｇｂ／ｓのビット・レートを有する光信号を搬送するように適合された高密度波長分割多重（ｄｅｎｓｅ  ｗａｖｅｌｅｎｇｔｈ  ｄｉｖｉｓｉｏｎ  ｍｕｌｔｉｐｌｅｘ、ＤＷＤＭ）チャネルを使用する。将来の光通信システムが、４０Ｇｂ／ｓのビット・レートを有する信号を搬送するように適合されたＤＷＤＭチャネルを使用することが想定されている。普通の変調フォーマットおよび／または高度な変調フォーマットに基づく４０Ｇｂ／ｓ光信号は、１０Ｇｂ／ｓ光信号と一緒に使用され、かつ／または後者を徐々に置き換える可能性が高い。
【特許文献１】米国特許第６，５９１，０３８号
【特許文献２】米国特許第６，５６０，３８０号
【特許文献３】米国特許第６，６３１，２４６号
【発明の開示】
【発明が解決しようとする課題】
【０００４】
したがって、１０Ｇｂ／ｓ光信号と４０Ｇｂ／ｓ光信号の両方をサポートし、４０Ｇｂ／ｓアップグレードタ使用可能になった時などに、既にある１０Ｇｂ／ｓサービスの中断なしにまたは最小限の中断で、光通信システムの再構成を可能にする通信プラットフォームを有することが望ましい。
【課題を解決するための手段】
【０００５】
従来技術の問題は、本発明の原理に従って、少なくとも２つの異なるビット・レートを有する光信号をルーティングするように適合された光アド／ドロップ・マルチプレクサ（ＯＡＤＭ）によって対処される。ＯＡＤＭは、たとえば、１０Ｇｂ／ｓ信号の伝送に適する第１帯域幅値を有する第１組のチャネルと、４０Ｇｂ／ｓ信号の伝送に適する第２帯域幅値を有する第２組のチャネルとを有する、少なくとも２組のＤＷＤＭチャネルを有する。第１組および第２組は、２つの異なるスペクトル帯域を占め、第１組は、インターリーブされたチャネルの２つのサブセットを有する。一実施形態で、ＯＡＤＭは、それぞれチャネルの第１グループおよび第２グループに対応する光信号を処理するように適合された第１光分枝（ｏｐｔｉｃａｌ  ｂｒａｎｃｈ）および第２光分枝を有する。第１グループに、第１組からの第１サブセットが含まれ、第２グループに、第２組と第１組からの第２サブセットとが含まれる。有利なことに、本発明のＯＡＤＭを使用して、チャネルの異なるグループの独立の処理パスを作成することができる。その結果、このＯＡＤＭを有する通信システムをアップグレードして、たとえば、既にある１０Ｇｂ／ｓサービスを実質的に中断せずに、新しい４０Ｇｂ／ｓサービスを追加し、かつ／または追加の１０Ｇｂ／ｓチャネルを配置することができる。
【０００６】
一実施形態によれば、本発明は、第１ポート、第２ポート、および第３ポートを有する複数のポートを含む光装置であって、装置が、波長に基づいて異なるポートの間で光信号をルーティングするように適合され、前記光信号が、チャネルの複数の組に対応し、各組が、対応する帯域幅値を有する１つまたは複数のチャネルを有し、チャネルの少なくとも２つの異なる組が、異なる帯域幅値を有し、前記光装置が、チャネルの第１グループに対応する光信号を前記第１ポートと前記第２ポートとの間でルーティングし、チャネルの第２グループに対応する光信号を前記第１ポートと前記第３ポートとの間でルーティングするように適合されたルーティング・デバイスを含む光装置である。
【０００７】
別の実施形態によれば、本発明は、チャネルの第１グループに対応する光信号を光ルーティング・デバイスの第１ポートと第２ポートとの間でルーティングすることと、チャネルの第２グループに対応する光信号を前記光ルーティング・デバイスの前記第１ポートと第３ポートとの間でルーティングすることとを含み、前記光信号が、チャネルの複数の組に対応し、各組が、対応する帯域幅値を有する１つまたは複数のチャネルを有し、チャネルの少なくとも２つの異なる組が、異なる帯域幅値を有する光信号を伝送する方法である。
【０００８】
もう１つの実施形態によれば、本発明は、光ルーティング・デバイスの第１ポートと第２ポートとの間でチャネルの第１グループに対応する光信号をルーティングする手段と、前記光ルーティング・デバイスの第１ポートと第３ポートとの間でチャネルの第２グループに対応する光信号をルーティングする手段とを含み、光信号が、チャネルの複数の組に対応し、各組が、対応する帯域幅値を有する１つまたは複数のチャネルを有し、チャネルの少なくとも２つの異なる組が、異なる帯域幅値を有する装置である。
【０００９】
もう１つの態様によれば、本発明は、通信信号を交換するように適合された複数のノードを含む通信ネットワークであって、少なくとも１つのノードが、第１ポート、第２ポート、および第３ポートを含む複数のポートを有する光装置を含み、前記装置が、波長に基づいて異なるポートの間で光信号をルーティングするように適合され、光信号が、チャネルの複数の組に対応し、各組が、対応する帯域幅値を有する１つまたは複数のチャネルを有し、チャネルの少なくとも２つの異なる組が、異なる帯域幅値を有し、光装置が、第１ポートと第２ポートとの間でチャネルの第１グループに対応する光信号をルーティングし、第１ポートと第３ポートとの間でチャネルの第２グループに対応する光信号をルーティングするように適合されたルーティング装置を含む、通信ネットワークである。
本発明の他の態様、特徴、および利益は、次の詳細な説明、請求項、および添付図面から明白になる。
【発明を実施するための最良の形態】
【００１０】
本明細書での「一実施形態」または「実施形態」への言及は、その実施形態に関して説明される特定の特徴、構造、または特性を、本発明の少なくとも１つの実施形態に含めることができることを意味する。本明細書の様々な場所での句「一実施形態で」の出現は、必ずしもすべてが同一の実施形態を指すのではなく、他の実施形態と相互に排他的な別々の実施形態または代替実施形態を指すのでもない。
【００１１】
図１に、本発明を実践できる、光通信システム１００のブロック図を示す。システム１００は、両方向リンク１０４によって結合されたノード１０２のネットワークを有し、ノードのそれぞれは、リンクを介して搬送される光信号を処理するように適合される。各ノード１０２での信号処理に、隣接ノード間の光信号のルーティング、ネットワーク・トラフィックからのローカル受信器宛の光信号の抽出（すなわち、ドロップ）、およびローカル送信器によって生成された光信号のネットワーク・トラフィックへの挿入（すなわち、アド）が含まれるが、これに制限はされない。各リンク１０４に、１つまたは複数の光ファイバ、光増幅器（図示せず）、信号リジェネレータ（図示せず）、および他の通例のコンポーネントを含めることができる。
【００１２】
図２に、システム１００のすべてのノード１０２内で使用できる、光アド／ドロップ・マルチプレクサ（ＯＡＤＭ）２００を示す。ＯＡＤＭ２００は、主入力ポート２０２、主出力ポート２０４、ドロップ・ポート２０６、およびアド・ポート２０８を含む少なくとも４つのポートを有する。主入力ポート２０２に印加されたＤＷＤＭ信号は、たとえばローカル受信器への配布のためにドロップ・ポート２０６、またはシステム１００のネットワークを介するさらなる伝送のために主出力ポート２０４のいずれかに向けられる。ドロップされた信号は、通常は、主出力ポート２０４に達することを阻止される。前に未使用のＤＷＤＭチャネルおよび／またはドロップされた信号に対応するＤＷＤＭチャネルの一部またはすべてを使用して、たとえばローカル送信器から、アド・ポート２０８に印加される光信号を伝送することができる。これらの光信号は、主入力ポート２０２で受け取られたがドロップ・ポート２０６でドロップされない光信号と多重化され、多重化された信号が、主出力ポート２０４で出力される。
【００１３】
ＯＡＤＭアーキテクチャ
図３に、本発明の一実施形態によるＯＡＤＭ２００を実施するのに使用することができるＯＡＤＭ３００のブロック図を示す。ＯＡＤＭ３００は、主入力ポート３０２、主出力ポート３０４、２つのドロップ・ポート３０６ａ〜ｂ、および２つのアド・ポート３０８ａ〜ｂを有する６ポート・デバイスである。ＯＡＤＭ３００は、主入力ポート３０２に印加されたＤＷＤＭ信号を、たとえばローカル受信器への配布のためにドロップ・ポート３０６ａ〜ｂ、またはたとえばネットワークを介するさらなる伝送のために主出力ポート３０４のいずれかに向けることによって動作する。ドロップ・ポート３０６ａ〜ｂでドロップされる信号は、主出力ポート３０４に達することを阻止される。前に未使用のＤＷＤＭチャネルおよび／またはドロップされた信号に対応するＤＷＤＭチャネルの一部またはすべてを使用して、たとえばローカル送信器から、アド・ポート３０８ａ〜ｂに印加される光信号を伝送することができる。これらの光信号は、主入力ポート３０２で受け取られたがドロップ・ポート３０６ａ〜ｂでドロップされない光信号と多重化され、多重化された信号が、主出力ポート３０４で出力される。この機能性は、ＯＡＤＭ３００内で、デマルチプレクサ（ＤＭＵＸ）３１２、マルチプレクサ（ＭＵＸ）３３２、２つの波長ブロッカ３１６ａ〜ｂ、２つのスプリッタ３１４ａ〜ｂ、および２つのコンバイナ３３４ａ〜ｂを使用して実現され、これらのそれぞれを、下で詳細に説明する。
【００１４】
ＤＭＵＸ３１２は、Ｉというラベルを付けられた、主入力ポート３０２に結合された入力ポートと、ＩＩおよびＩＩＩというラベルを付けられた２つの出力ポートとを有する３ポート・デバイスである。ＤＭＵＸ３１２は、ポートＩに印加された光信号を、波長またはＤＷＤＭチャネル番号に基づいてその２つの出力ポートの１つに向けるように適合される。具体的に言うと、一実施形態で、ＤＭＵＸ３１２は、ＤＷＤＭチャネルの第１グループに対応する光信号を出力ポートＩＩに向け、ＤＷＤＭチャネルの第２グループに対応する光信号を出力ポートＩＩＩに向ける。ＭＵＸ３３２は、ＩＩおよびＩＩＩというラベルを付けられた２つの入力ポートと、Ｉというラベルを付けられ、主出力ポート３０４に結合された出力ポートとを有する３ポート・デバイスである。ＭＵＸ３３２は、本質的に、ＤＭＵＸ３１２によって実行されるものの逆の機能を実行する。具体的に言うと、ＭＵＸ３３２は、その入力ポートに印加される光信号を多重化し、多重化された信号を出力ポートに向ける。
【００１５】
一実施形態で、ＤＭＵＸ３１２およびＭＵＸ３３２のそれぞれが、実質的に同一の両方向光要素を使用して実施される。具体的に言うと、この光要素は、（ｉ）ＤＷＤＭチャネルの第１グループに対応する光信号をポートＩとＩＩの間でルーティングし、（ｉｉ）ＤＷＤＭチャネルの第２グループに対応する光信号をポートＩとＩＩＩの間でルーティングするように設計されている。たとえば、この光要素がＤＭＵＸ３１２として構成される時に、入力信号が、ポートＩに印加され、２つの対応する出力信号が、ポートＩＩおよびＩＩＩから発する。その代わりに、この光要素が、ＭＵＸ３３２として構成される場合に、２つの入力信号がポートＩＩおよびＩＩＩに印加され、対応する出力信号が、ポートＩから発する。
【００１６】
波長ブロッカ３１６ａ〜ｂのそれぞれは、構成可能なデバイスであり、主出力ポート３０４宛の光信号を通し、対応するドロップ・ポート３０６宛の光信号を阻止する。したがって、波長ブロッカ３１６ａ〜ｂは、それぞれ、ＤＷＤＭチャネルの第１グループおよび第２グループに対応する光信号を処理するように適合される。適当な制御信号（図示せず）に基づいて、波長ブロッカ３１６ａ〜ｂのそれぞれが、異なる時に、ＤＷＤＭチャネルの対応するグループに属する異なるサブグループを阻止／透過させることができる。
スプリッタ３１４ａ〜ｂのそれぞれは、ＤＭＵＸ３１２から受け取った信号を対応するドロップ・ポート３０６と波長ブロッカ３１６の間で分割するように適合された受動３ポート・デバイスである。同様に、コンバイナ３３４ａ〜ｂのそれぞれは、対応するアド・ポート３０８および波長ブロッカ３１６から受け取った信号を組み合わせ、組み合わされた信号をＭＵＸ３３２に向けるように適合された受動３ポート・デバイスである。一実施形態で、スプリッタ３１４ａ〜ｂおよびコンバイナ３３４ａ〜ｂのそれぞれは、光伝搬方向に依存してパワー・スプリッタまたはパワー・コンバイナのいずれかとして動作することができる、実質的に同一の両方向光要素を使用して実施される。
【００１７】
上で説明したコンポーネントを使用して、ＯＡＤＭ３００は、たとえば次のように、主入力ポート３０２に印加された光信号をルーティングすることができる。この光信号が、ＤＷＤＭチャネルの第１グループに対応すると仮定する。この場合に、ＤＭＵＸ３１２は、この信号をその出力ポートＩＩに向ける。パワー・スプリッタ３１４ａは、２つの信号コピーを作り、第１コピーをドロップ・ポート３０６ａ、第２コピーを波長ブロッカ３１６ａに向ける。光信号が、ドロップ・ポート３０６ａでドロップされることを意図されたものである場合に、波長ブロッカ３１６ａは、第２の信号コピーが波長ブロッカの先に伝搬することを阻止するように構成される。それと同時に、ドロップ・ポート３０６ａに結合されたローカル受信器（図示せず）が、第１の信号コピーを受け取り、これによって、ドロップ機能が達成される。対応するＤＷＤＭチャネルは、波長ブロッカ３１６ａの先で空になるので、ローカル送信器（図示せず）が、信号干渉を引き起こさずに、同一のＤＷＤＭチャネルに対応する異なる光信号をアド・ポート３０８ａに印加することができる。パワー・コンバイナ３３４ａは、その信号を波長ブロッカ３１６ａによって送られた信号と組み合わせ、組み合わされた信号をＭＵＸ３３２の入力ポートＩＩに向け、ＭＵＸ３３２は、これを主出力ポート３０４にルーティングし、これによって、アド機能が達成される。
【００１８】
その代わりに、主入力ポート３０２に印加された光信号が、主入力ポート３０２から主出力ポート３０４に送られることを意図されたものである場合に、波長ブロッカ３１６ａは、パワー・スプリッタ３１４ａによって作られた第２信号コピーを通過させるように構成される。それと同時に、ドロップ・ポート３０６ａに結合されたローカル受信器が、第１信号コピーを無視するように構成される。この状況では、対応するＤＷＤＭチャネルが、波長ブロッカ３１６ａの先で空ではないので、ローカル送信器は、同一ＤＷＤＭチャネルに対応する異なる光信号をアド・ポート３０８ａに印加せず、信号干渉を防ぐ。
【００１９】
ＤＷＤＭチャネルの第２グループに対応する光信号が、ＯＡＤＭ３００内で同一の形で処理されるが、異なるＯＡＤＭ分枝すなわち、ＤＭＵＸ３１２の出力ポートＩＩＩ、対応するパワー・スプリッタ３１４ｂ、ドロップ・ポート３０６ｂ、波長ブロッカ３１６ｂ、対応するパワー・コンバイナ３３４ｂ、アド・ポート３０８ｂ、およびＭＵＸ３３２の入力ポートＩＩＩが使用されることを、当業者は諒解するであろう。
【００２０】
図４に、本発明の一実施形態による、図３の波長ブロッカ３１６のいずれかとして使用できる波長ブロッカ４１６のブロック図を示す。波長ブロッカ４１６は、サーキュレータ（ｃｉｒｃｕｌａｔｏｒ）４１０を有し、サーキュレータ４１０は、たとえばパワー・スプリッタ３１４（図３）によって、波長ブロッカに印加されるＤＷＤＭ信号を格子４２０に向ける。格子４２０は、信号を波長で分散させ、オン／オフ・スイッチ４３０に向ける。図４では、格子４２０とスイッチ４３０の間の複数の矢印が、異なるＤＷＤＭチャネルに対応する光を表す。スイッチ４３０は、回転可能なＭＥＭＳ鏡のアレイを有し、ＤＷＤＭチャネルごとに１つの鏡がある。特定のＤＷＤＭチャネルに対応する光信号が、波長ブロッカ４１６を通過する必要がある時に、スイッチ４３０の対応する鏡が、その信号を格子４２０に反射するように回転し、この光信号が、他の反射された信号と再組合せされ、サーキュレータ４１０に向けられ、サーキュレータ４１０は、この信号を波長ブロッカから、たとえばパワー・コンバイナ３３４（図３）に向かって、出力する。その代わりに、光信号が、波長ブロッカ４１６で阻止される必要がある特定のＤＷＤＭチャネルに対応する時には、スイッチ４３０の対応する鏡が、図４の破線によって示されるように、信号を信号ダンプ４４０に向けて反射するように回転され、この信号ダンプ４４０で、信号が吸収される。
【００２１】
図５に、本発明のもう１つの実施形態によるＯＡＤＭ２００（図２）を実施するのに使用することができるもう１つのＯＡＤＭ５００のブロック図を示す。ＯＡＤＭ３００（図３）に似て、ＯＡＤＭ５００は、主入力ポート５０２、主出力ポート５０４、２つのドロップ・ポート５０６ａ〜ｂ、および２つのアド・ポート５０８ａ〜ｂを有する。ＯＡＤＭ５００は、主入力ポート５０２に印加された光信号をドロップ・ポート５０６ａ〜ｂまたは主出力ポート５０４のいずれかに向けることによって、ＯＡＤＭ３００（図３）に似た形で動作する。ドロップされる信号に対応するＤＷＤＭチャネルおよび／または占められていないチャネルの一部またはすべてを再利用して、アド・ポート５０８ａ〜ｂに印加される光信号を伝送することができ、この信号は、ドロップ・ポート５０６ａ〜ｂでドロップされない、主入力ポート５０２で受け取られた光信号と多重化される。多重化された信号は、主出力ポート５０４で出力される。
【００２２】
ＯＡＤＭ３００に似て、ＯＡＤＭ５００は、ＤＭＵＸ３１２およびＭＵＸ３３２を有する。ＯＡＤＭ５００は、それぞれＯＡＤＭ３００のパワー・スプリッタ３１４およびパワー・コンバイナ３３４に似た、パワー・スプリッタ５１４およびパワー・コンバイナ５３４も使用する。しかし、ＯＡＤＭ５００で使用される波長ブロッカ５１６は、ＯＡＤＭ３００の波長ブロッカ３１６ａ〜ｂのいずれかと多少異なる。具体的に言うと、波長ブロッカ３１６ａ〜ｂのそれぞれは、ＤＷＤＭチャネルの１つのグループだけに対応する光信号を処理するように適合される。たとえば、波長ブロッカ３１６ａおよび３１６ｂは、それぞれＤＷＤＭ信号の第１グループおよび第２グループに対応する光信号を処理する。対照的に、波長ブロッカ５１６は、ＤＷＤＭチャネルの両方のグループに対応する光信号を処理するように適合される。
【００２３】
ＯＡＤＭ５００は、たとえば次のように、主入力ポート５０２に印加される光信号をルーティングすることができる。パワー・スプリッタ５１４が、２つの信号コピーを作り、第１コピーをＤＭＵＸ３１２に、第２コピーを波長ブロッカ５１６に向ける。光信号が、ドロップ・ポート５０６ａ〜ｂの１つでドロップされることを意図されたものである場合に、波長ブロッカ５１６は、第２信号コピーが波長ブロッカを超えて伝搬することを阻止するように構成される。それと同時に、ＤＭＵＸ３１２は、光信号がチャネルの第１グループと第２グループのどちらに含まれるかに応じて、ドロップ・ポート５０６ａ〜ｂの対応する１つに第１信号コピーを向け、そのドロップ・ポートに結合されたローカル受信器（図示せず）が、その信号コピーを受け取り、これによって、ドロップ機能が達成される。対応するＤＷＤＭチャネルは、波長ブロッカ５１６の先で空になるので、ローカル送信器（図示せず）が、信号干渉を引き起こさずに、同一のＤＷＤＭチャネルに対応する異なる光信号を、アド・ポート５０８ａ〜ｂの適当な１つに印加することができる。ＭＵＸ３３２は、その信号をパワー・コンバイナ５３４に向け、ＭＵＸによって出力される信号および波長ブロッカ５１６によって通された信号が、組み合わされ、主出力ポート５０４に向けられ、これによって、アド機能が達成される。
【００２４】
その代わりに、主入力ポート５０２に印加される光信号が、主出力ポート５０４に透過されることを意図されたものである場合に、波長ブロッカ５１６は、パワー・スプリッタ５１４によって作られる第２信号コピーを通過させるように構成される。それと同時に、ドロップ・ポート５０６ａ〜ｂの対応する１つに結合されたローカル受信器が、第１信号コピーを無視するように構成される。この状況では、対応するＤＷＤＭチャネルが、波長ブロッカ５１６の先で空でないので、ローカル送信器は、同一のＤＷＤＭチャネルに対応する異なる光信号をアド・ポート５０８ａ〜ｂの対応する１つに印加せず、パワー・コンバイナ５３４での信号干渉を避ける。
【００２５】
図６Ａ〜図６Ｂに、ＯＡＤＭ２００、３００、および５００のある実施形態で使用できる２つの代表的なＤＷＤＭチャネル構成を絵図的に示す。具体的に言うと、図６Ａ〜図６Ｂでは、各ＤＷＤＭチャネルが、ベース（たとえば中心）周波数ｆｉと、そのチャネルに割り振られた帯域幅に対応する幅Δｆ（図６Ａ）またはΔｆ’（図６Ｂ）を有する箱によって表され、ｉは、ＤＷＤＭチャネル番号である。図６Ａ〜図６Ｂに示された構成のそれぞれが、ＩＴＵ（国際電気通信連合）周波数グリッドを使用し、このＩＴＵ周波数グリッドは、ｍ×５０ＧＨｚの周波数インターバルによって分離された２つの隣接するＤＷＤＭチャネルの基本周波数を提供し、ここで、ｍは正の整数である。図６Ａでは、ｍ＝１であり、これは、｜ｆｉ−ｆｉ＋１｜＝５０ＧＨｚをもたらす。同様に、図６Ｂでは、ｍ＝２であり、これは、｜ｆｉ−ｆｉ＋１｜＝１００ＧＨｚをもたらす。
【００２６】
図６からわかるように、示されたチャネル構成のそれぞれは、各ＤＷＤＭチャネルに等しい帯域幅を割り振る。したがって、図６Ａの構成は、Δｆ＝５０ＧＨｚの帯域幅を各チャネルに割り振る。同様に、図６Ｂの構成は、Δｆ’＝１００ＧＨｚの帯域幅を各チャネルに割り振る。通常の従来技術の通信システムは、すべてが同一の均一の帯域幅を有するＤＷＤＭチャネルを有し、たとえば、５０ＧＨｚ帯域幅を有するチャネルだけ、または１００ＧＨｚ帯域幅を有するチャネルだけを有する。
【００２７】
図６Ｂの１００ＧＨｚチャネルのそれぞれは、１０Ｇｂ／ｓ信号または４０Ｇｂ／ｓ信号のいずれかの伝送に十分な帯域幅を有するが、図６Ａの５０ＧＨｚチャネルのそれぞれは、１０Ｇｂ／ｓ信号の伝送に十分であるが、普通の４０Ｇｂ／ｓ信号の伝送には不十分な帯域幅を有する。具体的に言うと、４０Ｇｂ／ｓ信号の伝送に使用される場合に、図６Ａの５０ＧＨｚチャネルは、その限られた帯域幅に起因して、送信された信号を、実質的に受信器で復号不能にする信号ひずみを引き起こす。その一方で、１０Ｇｂ／ｓ信号の伝送に図６Ｂの１００ＧＨｚチャネルを使用することは、使用可能なスペクトル資源が比較的非効率的に使用されることを引き起こす。
【００２８】
交番チャネル構成
図７に、本発明の一実施形態によるＯＡＤＭ２００、３００、および５００で使用できるＤＷＤＭチャネル構成を絵図的に示す。図７は、周波数の箱としてのＤＷＤＭチャネルの絵図的図示において図６に類似する。図６Ａの構成に類似して、図７の構成は、ｍ＝１のＩＴＵ周波数グリッドに対応する。したがって、隣接するＤＷＤＭチャネルの基本周波数の間の間隔は、約５０ＧＨｚである。しかし、図６Ａと図７の構成の間の相違の１つが、後者が異なるチャネルに不均一な帯域幅を割り振ることである。具体的に言うと、図７の構成は、２組のチャネルを有し、一方の組のチャネルは、Δｆ１の帯域幅を有し、他方の組のチャネルは、Δｆ２の帯域幅を有し、Δｆ１＋Δｆ２≒１００ＧＨｚである。２つの組のチャネルは、図７のようにインターリーブされ、各奇数チャネルは、Δｆ１の帯域幅を有し、各偶数のチャネルは、Δｆ２の帯域幅を有する。一実施形態で、Δｆ１≒２Δｆ２≒６６．７ＧＨｚである。以下では、図７に示されたチャネル構成を、交番チャネル構成の例と称する。
【００２９】
図７の交番チャネル構成は、図６Ａの構成と同一の、約５０ＧＨｚあたり１チャネルの最大サポート可能チャネル密度を有する。しかし、図６Ａの構成と異なって、この交番チャネル構成は、１０Ｇｂ／ｓ信号と４０Ｇｂ／ｓ信号の両方の伝送に適する。たとえば、図７の奇数チャネルのそれぞれは、４０Ｇｂ／ｓ信号の伝送に使用することができ、偶数チャネルのそれぞれは、１０Ｇｂ／ｓ信号の伝送に使用することができる。図６Ａのそれと比較した各奇数チャネルに割り振られる余分の帯域幅は、帯域幅制限に起因して誘導される対応する信号ひずみが、受信器での４０Ｇｂ／ｓ信号の成功裡の復号に許容可能になるようなものになっている。もちろん、余分の帯域幅を、偶数チャネルを犠牲にして奇数チャネルに追加することができる。しかし、図６Ａの構成で使用可能なものと比較した偶数チャネルのそれぞれの帯域幅削減は、１０Ｇｂ／ｓ信号の対応する信号ひずみが、比較的小さく、これらの信号を受信器で成功裡にデコードできるようなものになっている。線形および非線形の両方のクロストーク考慮事項（特に長距離伝送での）に起因して、配置された４０Ｇｂ／ｓチャネルは、たとえば約８００ｋｍ超の長距離伝送用に構成された通信システムで、配置された１０Ｇｂ／ｓチャネルに隣接しない場合がある。配置されるチャネルの総数は、４０Ｇｂ／ｓサービスが追加される時に減る場合があるが、全体的なシステム容量は、それでも増加する。というのは、４０Ｇｂ／ｓチャネルが、１０Ｇｂ／ｓチャネルよりはるかに高いスペクトル効率で、使用可能なスペクトル資源を利用するからである。
【００３０】
一実施形態で、交番チャネル構成の奇数チャネルと偶数チャネルの相対帯域幅は、図６Ａの構成に関する１０Ｇｂ／ｓ信号の伝送に対するペナルティおよび４０Ｇｂ／ｓ信号の伝送での改善が、最適の総合伝送品質を達成するようにバランスをとられるものになっている。この交番チャネル構成が、使用可能なスペクトル資源をより効率的に使用し、チャネルのより高いスペクトル密度を有するので、図６Ｂの構成に対する利益を有することを、当業者は諒解するであろう。
【００３１】
ＯＡＤＭ３００（図３）は、たとえば次のように、図７の交番チャネル構成に対応する光信号を処理するように適合させることができる。ＤＭＵＸ３１２のポートＩＩとＭＵＸ３３２のポートＩＩの間に結合されるＯＡＤＭ分枝を介してルーティングされるチャネルの第１グループに、図７の偶数チャネルが含まれる。それと同時に、ＤＭＵＸ３１２のポートＩＩＩとＭＵＸ３３２のポートＩＩＩの間に結合されるＯＡＤＭ分枝を介してルーティングされるチャネルの第２グループに、図７の奇数チャネルが含まれる。
【００３２】
同様に、ＯＡＤＭ５００（図５）は、たとえば次のように、図７の交番チャネル構成に対応する光信号を処理するように適合させることができる。主入力ポート５０２、ドロップ・ポート５０６ａ、アド・ポート５０８ａ、および主出力ポート５０４の間でルーティングされるチャネルの第１グループに、図７の偶数チャネルが含まれ、主入力ポート５０２、ドロップ・ポート５０６ｂ、アド・ポート５０８ｂ、および主出力ポート５０４の間でルーティングされるチャネルの第２グループに、図７の奇数チャネルが含まれる。さらに、波長ブロッカ５１６を、下で詳細に説明するように、両方の帯域幅のチャネルを処理するように適合させる必要がある。
【００３３】
図８に、本発明の一実施形態によるＯＡＤＭ３００および５００のそれぞれでＤＭＵＸ３１２および／またはＭＵＸ３３２を実施するのに使用できる両方向光インターリーバ（ｉｎｔｅｒｌｅａｖｅｒ）８００の特性を絵図的に示す。具体的に言うと、図８の上パネルおよび下パネルに、それぞれ光インターリーバ８００の群遅延（ＧＤ）プロファイルおよび減衰プロファイルを絵図的に示す。一実施形態で、図８の曲線８１０は、（ｉ）ＤＭＵＸ３１２でのポートＩとＩＩＩの間の光減衰および（ｉｉ）ＭＵＸ３３２でのポートＩＩＩとＩの間の光減衰に対応する。同様に、図８の曲線８２０は、（ｉ）ＤＭＵＸ３１２でのポートＩとＩＩの間の光減衰および（ｉｉ）ＭＵＸ３３２でのポートＩＩとＩの間の光減衰に対応する。図８からわかるように、曲線８１０は、それぞれが（ｉ）０ＧＨｚ、１００ＧＨｚ、２００ＧＨｚなどに位置するグリッド線を有する１００ＧＨｚグリッドでの基本周波数と（ｉｉ）約６５ＧＨｚでの３ｄＢ帯域幅を有する複数の伝送帯域を有する。伝送帯域の間の約５０ＧＨｚ、１５０ＧＨｚ、２５０ＧＨｚなどに位置する伝送リップルは、主に、光インターリーバ８００の干渉効果に起因する。これらの伝送リップルは、本発明のＯＡＤＭでのインターリーバの動作にとって、実質的に有益でも実質的に有害でもない。同様に、曲線８２０は、それぞれが（ｉ）５０ＧＨｚ、１５０ＧＨｚ、２５０ＧＨｚなどに位置するグリッド線を有する１００ＧＨｚグリッドでの基本周波数と（ｉｉ）約３５ＧＨｚの３ｄＢ帯域幅を有する複数の伝送帯域を有する。一実施形態で、光インターリーバ８００は、平面導波路技術を使用して製造され、この技術の光インターリーバ、マルチプレクサ、およびデマルチプレクサへの応用は、当技術分野で既知であり、たとえば、米国特許第６，５９１，０３８号および米国特許第６，５６０，３８０号に記載されており、この両方の特許の教示が、参照によって本明細書に組み込まれる。
【００３４】
図９Ａ〜図９Ｂに、それぞれ本発明の一実施形態によるＤＭＵＸ３１２およびＭＵＸ３３２として使用できるＤＭＵＸ９１２およびＭＵＸ９３２のブロック図を示す。図８の上パネルを短く参照すると、曲線８３０は、光インターリーバ８００のピークツーピークＧＤリップルの振幅が、２０ｐｓ程度すなわち、４０Ｇｂ／ｓシグナリング・インターバルの持続時間の約８０％であることを示す。しかし、システムの最高ビット・レート（この例では４０Ｇｂ／ｓ）に対応するシグナリング・インターバルの持続時間の約５０％以下の振幅を有することが、しばしば望ましい。ＤＭＵＸ９１２およびＭＵＸ９３２のそれぞれは、図８の光インターリーバ８００に結合された分散補償器（ｄｉｓｐｅｒｓｉｏｎ  ｃｏｍｐｅｎｓａｔｏｒ）９３０ａ〜ｂの対を有することによって、この問題に対処する。分散補償器９３０ａ〜ｂのそれぞれは、ピークツーピークＧＤリップルの振幅を所望のレベルまで減らすように働く。ＤＭＵＸ９１２では、分散補償器９３０ａ〜ｂが、この補償器の上流に位置する光インターリーバ８００に既に導入されている群遅延を補償するように構成される。その一方で、ＭＵＸ９３２では、分散補償器９３０ａ〜ｂが、この補償器の下流に位置する光インターリーバ８００に誘導される群遅延を事前に補償するように構成される。一実施形態で、分散補償器９３０ａ〜ｂのそれぞれが、本発明の所有者が所有する米国特許第６，６３１，２４６号に開示された補償器であり、この特許の教示は、参照によって本明細書に組み込まれる。
【００３５】
短く図３および図４を参照すると、波長ブロッカ４１６（図４）は、比較的簡単な形で、交番チャネル構成の波長ブロッカ３１６（図３）を実施するように設計することができる。すなわち、波長ブロッカ４１６が、波長ブロッカ３１６ａを実施する時に、スイッチ４３０の回転可能なＭＥＭＳ鏡のアレイが、隣接する鏡の間にギャップを有し、各ギャップは、おおむね対応する偶数チャネルの波長でセンタリングされる。同様に、波長ブロッカ４１６が、波長ブロッカ３１６ｂを実施する時に、スイッチ４３０の回転可能なＭＥＭＳ鏡のアレイが、隣接する鏡の間にギャップを有し、各ギャップは、おおむね対応する奇数チャネルの波長でセンタリングされる。
【００３６】
次に、図４および図５を短く参照すると、波長ブロッカ４１６（図４）は、次のように波長ブロッカ５１６（図５）を実施するように設計することができる。スイッチ４３０の回転可能なＭＥＭＳ鏡のアレイが、２つの異なる幅の鏡を有する。具体的に言うと、スイッチ４３０内の相対鏡幅は、相対ＤＷＤＭチャネル帯域幅に対応する。たとえば、奇数ＤＷＤＭチャネルに対応する相対的に幅広の鏡に、偶数ＤＷＤＭチャネルに対応する相対的に狭い鏡が続き、これに、奇数ＤＷＤＭチャネルに対応する次の相対的に幅広の鏡が続き、以下同様である。
【００３７】
交番チャネル構成を使用する通信システム１００（図１）は、たとえば、図７のいくつかの奇数帯域での１０Ｇｂ／ｓ信号の伝送を、４０Ｇｂ／ｓ信号の伝送に置換すると同時に、図７のいくつかの偶数帯域での１０Ｇｂ／ｓ信号の伝送を実質的に中断されないままにすることによって、その容量を増やすことができる。対応するシステム・アップグレードに、それぞれＯＡＤＭ３００および５００の、ドロップ・ポート３０６ｂおよび５０６ｂとアド・ポート３０８ｂおよび５０８ｂに結合されたシステム・コンポーネントだけをアップグレードすることが含まれる。それと同時に、それぞれＯＡＤＭ３００および５００の、ドロップ・ポート３０６ａおよび５０６ａと、アド・ポート３０８ａおよび５０８ａに結合されたシステム・コンポーネントは、実質的に変更されないままになる。このアップグレードが、既にある１０Ｇｂ／ｓサービスに対する中断を最小にしながら４０Ｇｂ／ｓサービスを追加するという所望の目的を達成することを、当業者は理解するであろう。アップグレードの時に、システムが全容量で動作しなかった場合に、他の有益なオプションが、通信システム１００のオペレータに入手可能になる可能性がある。たとえば、奇数チャネルだけが、１０Ｇｂ／ｓ信号の伝送に占有され、偶数チャネルが空いていた場合に、１０Ｇｂ／ｓ信号を、偶数チャネルにロール・オーバーすることができる。その後、解放された奇数チャネルに、新しい４０Ｇｂ／ｓサービスを配置することができる。
【００３８】
図１０Ａ〜図１０Ｂに、通信システム１００（図１）での２つの可能なＤＷＤＭチャネル配置方式を絵図的に示すが、この方式では、６４個の奇数チャネルと６４個の偶数チャネル、合計１２８チャネルを有する交番チャネル構成が使用される。図１０Ａを参照すると、一実施形態で、各ノード１０２でＯＡＤＭ３００（図３）に類似するＯＡＤＭを使用する通信システム１００（図１）は、（１）１０Ｇｂ／ｓ信号の伝送から開始し、（２）ある点で４０Ｇｂ／ｓ信号の伝送を追加し、（３）１０Ｇｂ／Ｓ信号の数を増やすことによって、その容量を増やすことができる。そのようなシステム１００が展開される時に、そのシステムが、１０Ｇｂ／ｓ信号の伝送に最初の６４個のチャネルの３２個の偶数ＤＷＤＭチャネルを使用し、残りのチャネルが空いていると仮定する。図１０Ａでは、この最初に使用される（配置される）チャネルに、文字「α」のラベルが付けられている。この初期構成では、各ＯＡＤＭが、１つの分枝（たとえば、ドロップ・ポート３０６ａおよびアド・ポート３０８ａに類似するポートを含む）だけを使用し、他の分枝（たとえば、ドロップ・ポート３０６ｂおよびアド・ポート３０８ｂに類似するポートを含む）は、実質的に未使用のままになる。
【００３９】
アップグレードで、たとえば電話会社などのシステム１００のオペレータが、第２の６４個のチャネルの３２個の奇数ＤＷＤＭチャネルに４０Ｇｂ／ｓ信号の伝送を配置することによって、システム容量を増やすことができる。図１０Ａでは、この追加して配置されるチャネルが、文字「β」のラベルを付けられている。αチャネルとβチャネルが配置された状態で、各ＯＡＤＭは、その光分枝の両方を使用する。
【００４０】
次のアップグレード中に、システム１００のオペレータは、第１の６４個のチャネルの３２個の残りの奇数ＤＷＤＭチャネルに１０Ｇｂ／ｓ信号の伝送を配置することによって、システム容量をさらに増やすことができる。図１０Ａでは、このアップグレード中に配置されるチャネルに、文字「γ」のラベルが付けられている。γチャネルを配置された状態で、各ＯＡＤＭは、６４個の１０Ｇｂ／ｓチャネルおよび３２個の４０Ｇｂ／ｓチャネルの容量に達し、合計９６個の配置されたチャネルを有する。
【００４１】
もう１つのアップグレード中に、システム１００のオペレータは、残りの未配置のＤＷＤＭチャネルに１０Ｇｂ／ｓ信号の伝送を配置することによって、システム容量をさらに増やすことができる。図１０Ａでは、この追加して配置されるチャネルに、文字「δ」のラベルが付けられている。この新たに追加される１０Ｇｂ／ｓ信号が、隣接チャネル間の非線形クロストークを減らすために、差動位相偏移変調（ＤＰＳＫ）変調フォーマットを使用することが好ましい。δチャネルを配置された状態で、各ＯＡＤＭは、９６個の１０Ｇｂ／ｓチャネルおよび３２個の４０Ｇｂ／ｓチャネルの容量に達し、合計１２８個の配置されたチャネル（５０ＧＨｚチャネル間隔の）を有する。代替案では、光デュオバイナリ（ｄｕｏｂｉｎａｒｙ）または差動四位相偏移変調（ｄｉｆｆｅｒｅｎｔｉａｌ−ｑｕａｄｒａｔｕｒｅ  ｐｈａｓｅ−ｓｈｉｆｔ  ｋｅｙｉｎｇ、ＤＱＰＳＫ）などの帯域幅効率のよい変調フォーマットが使用される時に、δチャネルに４０Ｇｂ／ｓ信号を配置することができる。さらに、他の帯域幅効率のよい信号（たとえば、８０Ｇｂ／Ｓ  ＤＱＰＳＫ信号）を使用して、図１０Ａの様々なチャネルを配置することもできることを理解されたい。
【００４２】
図１０Ａの文脈で説明したものに似たアップグレード方式を、図１０Ｂに示す。したがって、図１０Ｂに示されたαチャネル、βチャネル、γチャネル、およびδチャネルは、図１０Ａの類似するラベルを有するチャネルを配置したものに類似するアップグレード・ステージに対応する。しかし、図１０Ａの方式と図１０Ｂの方式の間の重要な相違は、異なるデータ・レート（および変調フォーマット）を有するチャネルの分布、各アップグレードの後の各タイプの配置されるチャネルの数、および、したがって実現されるシステム容量にある。この相違を、次の表ですぐに見分けることができる。
【表１】
2006005938.tif 000003
【００４３】
当業者は、αチャネルおよびβチャネルの初期個数を適当に選択することによって、システム１００のオペレータが、アップグレードの過程でシステム容量の異なる所望の値を介してステップできることを諒解するであろう。
【００４４】
バンド化チャネル構成
図１１Ａに、本発明の一実施形態によるＯＡＤＭ２００、３００、および５００で使用できるＤＷＤＭチャネル構成を絵図的に示す。図１１Ａは、ＤＷＤＭチャネルの絵図的表示において図６および図７に類似する。図７の交番チャネル構成に似て、図１１Ａの構成は、２組のチャネルを有し、一方の組のチャネルは、Δｆの帯域幅を有し、他方の組は、Δｆと異なるΔｆ’の帯域幅を有する。しかし、この２組のチャネルは、図７のようにインターリーブされるのではなく、それぞれ「Ｓバンド」および「Ｌバンド」とラベルを付けられた２つの別々のスペクトル帯域に束ねられる。Ｓバンドは、ｍ＝１に対応し、｜ｆｎ−ｆｎ＋１｜≒５０ＧＨｚをもたらし、ｎは、Ｓバンド内のＤＷＤＭチャネル数であり、Δｆ≒５０ＧＨｚの帯域幅のチャネルを有する。Ｌバンドは、ｍ＝２に対応し、｜ｆｋ−ｆｋ＋１｜≒１００ＧＨｚをもたらし、ｋは、Ｌバンド内のＤＷＤＭチャネル数であり、Δｆ’≒１００ＧＨｚの帯域幅のチャネルを有する。したがって、図１１Ａの構成は、そのスペクトル範囲全体にわたるチャネルの不均一なスペクトル密度すなわち、Ｓバンド内の約５０ＧＨｚあたり１チャネルと、Ｌバンド内の約１００ＧＨｚあたり１チャネルを有する。一実施形態で、ＳバンドおよびＬバンドは、エルビウム添加ファイバー増幅器（ＥＤＦＡ）の異なる増幅帯域に対応する。以下では、図１１Ａのチャネル構成を、バンド化チャネル構成の例と称する。帯端ひずみを避けるために、ＳバンドとＬバンドの間にガード・スペクトル帯域が存在する必要がある場合があることに留意されたい。
【００４５】
図７の交番チャネル構成に似て、図１１Ａのバンド化チャネル構成は、１０Ｇｂ／ｓ信号と４０Ｇｂ／ｓ信号の両方の伝送に適する。たとえば、Ｌバンドのチャネルのそれぞれは、４０Ｇｂ／ｓ信号の伝送に使用することができ、Ｓバンドのチャネルのそれぞれは、１０Ｇｂ／ｓ信号の伝送に使用することができる。交番チャネル構成よりわずかに低い総達成可能容量を有するが、バンド化チャネル構成は、よい個別の性能を有する１０Ｇｂ／ｓチャネルおよび４０Ｇｂ／ｓチャネルのシステム内の同時存在を可能にする。さらに、１０Ｇｂ／ｓチャネルと４０Ｇｂ／ｓチャネルの帯域幅割振りは、下で詳細に示すように、柔軟または調整可能とすることができる。
【００４６】
図１１Ｂに、本発明の一実施形態によるＤＭＵＸ３１２として使用できるＤＭＵＸ１１１２の特性を示す。ＤＭＵＸ１１１２は、３つのポート（Ｉ、ＩＩ、およびＩＩＩのラベルを付けた）を有し、これは、ＤＭＵＸ３１２の類似するラベルを付けられたポートに類似する。ＤＷＤＮチャネルの絵図的表示において図１１Ａに類似する図１１Ｂに、ＤＭＵＸ１１１２で実施されるチャネル・ルーティング方式が絵図的に示されている。具体的に言うと、Ｓバンドの奇数ＤＷＤＭチャネルに対応する光信号は、ポートＩからポートＩＩにルーティングされ、Ｓバンドの偶数ＤＷＤＭチャネルに対応する光信号は、ポートＩからポートＩＩＩにルーティングされ、ＬバンドのすべてのＤＷＤＭチャネルに対応する光信号は、ポートＩからポートＩＩＩにルーティングされる。
【００４７】
ＤＭＵＸ１１１２の特性を図示するほかに、図１１Ｂには、本発明の一実施形態によるＭＵＸ３３２として使用できるＭＵＸ１１３２の特性も示されている。ＭＵＸ１１３２は、３つのポート（Ｉ、ＩＩ、およびＩＩＩ）を有し、これは、ＭＵＸ３３２の類似するラベルを付けられたポートに類似する。ＭＵＸ１１３２で実施されるチャネル・ルーティング方式は、次の通りである。Ｓバンドの奇数ＤＷＤＭチャネルに対応する光信号は、ポートＩＩからポートＩにルーティングされ、Ｓバンドの偶数ＤＷＤＭチャネルに対応する光信号は、ポートＩＩＩからポートＩにルーティングされ、ＬバンドのすべてのＤＷＤＭチャネルに対応する光信号は、ポートＩＩＩからポートＩにルーティングされる。
【００４８】
ＯＡＤＭ３００（図３）に類似し、ＤＭＵＸ３１２およびＭＵＸ３３２の代わりに図１１ＢのＤＭＵＸ１１１２およびＭＵＸ１１３２を有するＯＡＤＭは、次のように、図１１Ａのバンド化チャネル構成に対応する光信号の処理に適合される。ＤＭＵＸ１１１２のポートＩＩとＭＵＸ１１３２のポートＩＩの間に結合されたＯＡＤＭ分枝を介してルーティングされるチャネルの第１グループに、図１１ＡのＳバンドの奇数ＤＷＤＭチャネルが含まれる。ＤＭＵＸ１１１２のポートＩＩＩとＭＵＸ１１３２のポートＩＩＩの間に結合されたＯＡＤＭ分枝を介してルーティングされるチャネルの第２グループに、図１１ＡのＳバンドの偶数ＤＷＤＭチャネルおよびＬバンドのすべてのＤＷＤＭチャネルが含まれる。ＯＡＤＭ５００（図５）に類似し、ＤＭＵＸ３１２およびＭＵＸ３３２の代わりに図１１ＢのＤＭＵＸ１１１２およびＭＵＸ１１３２を有するＯＡＤＭは、次のように、図１１Ａのバンド化チャネル構成に対応する光信号の処理に適合される。主入力ポート５０２、ドロップ・ポート５０６ａ、アド・ポート５０８ａ、および主出力ポート５０４の間でルーティングされるチャネルの第１グループに、図１１ＡのＳバンドの奇数ＤＷＤＭチャネルが含まれる。同様に、主入力ポート５０２、ドロップ・ポート５０６ｂ、アド・ポート５０８ｂ、および主出力ポート５０４の間でルーティングされるチャネルの第２グループに、図１１ＡのＳバンドの偶数ＤＷＤＭチャネルおよびＬバンドのすべてのＤＷＤＭチャネルが含まれる。
【００４９】
図１２に、本発明の一実施形態による、図１１Ｂに示されたＤＭＵＸ１１１２を実施するのに使用できるＤＭＵＸ１２１２のブロック図を示す。ＤＭＵＸ１２１２は、次のように光信号をルーティングする。ポートＩに印加された光信号が、固有波長（ｃｈａｒａｃｔｅｒｉｓｔｉｃ  ｗａｖｅｌｅｎｇｔｈ）（または特性周波数ｆＣ）を有するバンド・スプリッタ１２０２に向けられる。バンド・スプリッタ１２０２は、固有波長より短いおよびこれより長い波長を有する光を、２つの異なるビームに分離し、一方のビームをデインターリーバ１２０４に、他方のビームをパワー・コンバイナ１２０６に向けるように働く。バンド・スプリッタ１２０２は、たとえば、光伝搬方向に関して４５°に向けられ、固有波長より長い波長の光を透過させ、固有波長より短い波長の光を反射する誘電体コーティングを有するガラス板を使用して実施することができる。固有波長は、対応する特性周波数がＳバンドとＬバンド（図１１Ａおよび図１１Ｂ参照）の間に位置するようになっていることが好ましい。その結果、Ｓバンドに対応する光信号が、デインターリーバ１２０４に向かって反射され、Ｌバンドに対応する光信号が、パワー・コンバイナ１２０６に向かって透過される。一実施形態で、バンド・スプリッタ１２０２が、同調可能な要素であり、固有波長／特性周波数を変更することができる。同調は、たとえば、ガラス板の方位角度を変更するか、その温度を変更することによって達成することができる。この特徴は、ＳバンドおよびＬバンドの柔軟かつ／または調整可能な帯域幅割振りを可能にし、これによって、システムの１０Ｇｂ／ｓチャネルおよび４０Ｇｂ／ｓチャネルの所望の相対品質の選択が可能になる。
【００５０】
デインターリーバ１２０４は、波長またはＤＷＤＭチャネル番号に基づいて光信号をソートするように適合される。たとえば、Ｓバンドの奇数ＤＷＤＭチャネルに対応する光信号を、ポートＩＩに向けると同時に、Ｓバンドの偶数ＤＷＤＭチャネルに対応する光信号を、パワー・コンバイナ１２０６に向ける。デインターリーバ１２０４に類似するデインターリーバは、従来技術で周知であり、たとえば米国特許第６，５６０，３８０号に開示されており、この特許の教示は、参照によって本明細書に組み込まれる。パワー・コンバイナ１２０６は、たとえば図３のパワー・コンバイナ３３４に類似する。したがって、パワー・コンバイナ１２０６は、バンド・スプリッタ１２０２およびデインターリーバ１２０４から受け取った信号を組み合わせ、組み合わされた信号をポートＩＩＩに向ける。
【００５１】
図１３に、本発明の一実施形態による、図１１Ｂに示されたＭＵＸ１１３２を実施するのに使用できるＭＵＸ１３３２のブロック図を示す。ＭＵＸ１３３２は、次のように光信号をルーティングする。ポートＩＩＩに印加された光信号が、バンド・スプリッタ１３０２に向けられ、バンド・スプリッタ１３０２は、ＳバンドおよびＬバンドに対応する光を２つの異なるビームに分離するように働く。具体的に言うと、Ｓバンドに対応する光信号が、インターリーバ１３０４に向けられ、Ｌバンドに対応する光信号が、バンド・コンバイナ１３０６に向けられる。一実施形態で、バンド・スプリッタ１３０２は、図１２のバンド・スプリッタ１２０２に類似する。インターリーバ１３０４は、本質的に、デインターリーバ１２０４によって実行される機能と逆の機能を実行するように適合される。具体的に言うと、インターリーバ１３０４は、ポートＩＩおよびバンド・スプリッタ１３０２から受け取った光信号を多重化し、多重化された信号をパワー・コンバイナ１３０６に向ける。一実施形態で、パワー・コンバイナ１３０６は、たとえば図３のパワー・コンバイナ３３４に類似する。したがって、パワー・コンバイナ１３０６は、バンド・スプリッタ１３０２およびインターリーバ１３０４から受け取った信号を組み合わせ、組み合わされた信号をポートＩに向ける。
【００５２】
一実施形態で、ＤＭＵＸ１２１２およびＭＵＸ１３３２のそれぞれを、同一の両方向光アセンブリの異なる実例を使用して実施することができる。たとえば、それぞれバンド・スプリッタ１２０２、パワー・コンバイナ１２０６、およびデインターリーバ１２０４（図２）の代わりに、バンド・スプリッタ１２０２に類似する第１の両方向光要素、バンド・スプリッタ１２０２に類似する第２の両方向光要素、および両方向光インターリーバを有する光アセンブリが、光伝搬方向に応じて、ＤＭＵＸ１２１２またはＭＵＸ１３３２のいずれかとして働くことができる。
【００５３】
図３〜図４および図１１Ａ〜図１１Ｂを参照すると、波長ブロッカ４１６（図４）は、比較的単純な形で、バンド化チャネル構成用の波長ブロッカ３１６ａ（図３）を実施するように設計することができる。すなわち、波長ブロッカ４１６が、波長ブロッカ３１６ａを実施する時に、スイッチ４３０内の回転可能ＭＥＭＳ鏡のアレイが、図１１ＡのＳバンドの奇数ＤＷＤＭチャネルに対応する鏡を有する。この波長ブロッカは、隣接する鏡の間にギャップを有し、このギャップのそれぞれは、おおむね、Ｓバンドの対応する偶数チャネルの波長でセンタリングされる。波長ブロッカ４１６は、たとえば、次のように波長ブロッカ３１６ｂを実施するように設計することができる。スイッチ４３０内の回転可能ＭＥＭＳ鏡のアレイが、鏡の２つのグループを有する。具体的に言うと、第１グループは、Ｓバンドの偶数ＤＷＤＭチャネルに対応する鏡を有し、第２グループは、ＬバンドのＤＷＤＭチャネルに対応する鏡を有する。したがって、第１グループの鏡は、第２グループの鏡より幅が狭い。さらに、第１グループの鏡は、隣接する鏡の間にギャップを有し、このギャップのそれぞれは、おおむね、Ｓバンドの対応する奇数チャネルの波長でセンタリングされる。
【００５４】
図３、図５、および図１１Ａ〜図１１Ｂを参照すると、波長ブロッカ４１６（図４）は、次のように、バンド化チャネル構成用の波長ブロッカ５１６（図５）を実施するように設計することができる。スイッチ４３０内の回転可能ＭＥＭＳ鏡のアレイが、鏡の２つのグループを有する。具体的に言うと、第１グループは、Ｓバンドの（奇数と偶数の両方の）ＤＷＤＭチャネルに対応する鏡を有し、第２グループは、ＬバンドのＤＷＤＭチャネルに対応する鏡を有する。したがって、第１グループの鏡は、第２グループの鏡より幅が狭い。さらに、第１グループおよび第２グループの鏡は、隣接する鏡の間に比較的狭いギャップを有して、それぞれＳバンドおよびＬバンドのすべてのチャネルに対処する。
図１４Ａ〜図１４Ｂに、バンド化チャネル構成を使用する、通信システム１００（図１）での２つのＤＷＤＭチャネル配置方式を絵図的に示す。具体的に言うと、図１４Ａに、（ｉ）Ｓバンドに割り振られる総帯域幅がＬバンドに割り振られる総帯域幅と実質的に等しく、（ｉｉ）ＳバンドおよびＬバンドが、それぞれ６４個および３２個のＤＷＤＭチャネルを収容する状況が示されている。同様に、図１４Ｂに、（ｉ）Ｓバンドに割り振られる総帯域幅が、Ｌバンドに割り振られる総帯域幅より実質的に３倍大きく、（ｉｉ）ＳバンドおよびＬバンドが、それぞれ９６個および１６個のＤＷＤＭチャネルを収容する状況が示されている。
【００５５】
図１４Ａを参照すると、一実施形態で、各ノード１０２で、ＤＭＵＸ１２１２（図１２）およびＭＵＸ１３３２（図１３）を有する、ＯＡＤＭ３００（図３）に類似するＯＡＤＭを使用する通信システム１００（図１）は、（１）送信される１０Ｇｂ／ｓ信号の数を増やし、（２）ある点で、４０Ｇｂ／ｓ信号の伝送を追加し、その後、その数も増やすことによって、その容量を増やすことができる。そのようなシステム１００が使用される時に、そのシステムは、１０Ｇｂ／ｓ信号の伝送にＳバンドで１６個のＤＷＤＭチャネルを使用すると同時に、Ｓバンドの残りのチャネルおよびＬバンドのすべてのチャネルが空いている。図１４Ａでは、この最初に使用される（配置される）チャネルに、文字「α」のラベルが付けられている。当業者は、隣接するαチャネルの基本周波数の間の好ましい間隔が、約２００ＧＨｚであることを諒解するであろう。この初期構成では、各ＯＡＤＭが、１つの分枝（たとえば、ドロップ・ポート３０６ａおよびアド・ポート３０８ａに類似するポートを含む）だけを使用し、他の分枝（たとえば、ドロップ・ポート３０６ｂおよびアド・ポート３０８ｂに類似するポートを含む）は、実質的に未使用のままになる（図１１Ａ〜図１１Ｂも参照されたい）。
【００５６】
アップグレードでは、たとえば電話会社などのシステム１００のオペレータが、追加の１０Ｇｂ／ｓ信号の伝送用の１６個の追加のＤＷＤＭチャネルをＳバンドに配置することによって、システム容量を増やすことができる。図１４Ａでは、この追加して配置されるチャネルが、文字「β」のラベルを付けられている。当業者は、隣接するαチャネルとβチャネルの基本周波数の間の好ましい間隔が、約１００ＧＨｚであることを諒解するであろう。αチャネルとβチャネルが配置された状態で、Ｓバンドのすべての奇数チャネルが配置されているので、各ＯＡＤＭは、その１つの光分枝の全容量に達する。各ＯＡＤＭの他方の分枝は、このアップグレードの後に、まだ未使用のままである。
【００５７】
システム１００の次のアップグレードに関して、複数のオプションが使用可能であり、このアップグレード中に、各ＯＡＤＭの未使用の分枝に対応する資源が使用される。たとえば、システム１００のオペレータは、Ｓバンドの１６個の追加のＤＷＤＭチャネルおよびＬバンドの１６個のＤＷＤＭチャネルを配置することによって、システム容量をさらに増やすことができる。図１４Ａでは、このアップグレード中に配置されるチャネルに、文字「γ」のラベルが付けられている。Ｓバンドのγチャネルは、１０Ｇｂ／ｓ信号の伝送に使用されるが、Ｌバンドのγチャネルは、４０Ｇｂ／ｓ信号の伝送に使用される。当業者は、このアップグレードが、既にある１０Ｇｂ／ｓサービスの中断なしで４０Ｇｂ／ｓサービスを追加するという所望の目的を達成することを理解するであろう。さらに、１０Ｇｂ／ｓサービスの現在のトラフィック・ボリュームが、増やされる。
【００５８】
もう１つのアップグレード中に、Ｓバンドの１６個の残りのＤＷＤＭチャネルおよびＬバンドの１６個の残りのＤＷＤＭチャネルを配置することによって、システム１００のオペレータが、システム容量をさらに増やすことができる。図１４Ａでは、このアップグレード中に配置されるチャネルに、文字「δ」のラベルが付けられている。δチャネルが配置された状態で、各ＯＡＤＭは、６４個の１０Ｇｂ／ｓチャネルおよび３２個の４０Ｇｂ／ｓチャネルという全容量に達し、合計９６個のチャネルがある。
【００５９】
図１４の文脈で説明したものに類似するアップグレードを、図１４ＢのＳバンドおよびＬバンドについて実施することもできる。したがって、図１４Ｂのαチャネル、βチャネル、γチャネル、およびδチャネルは、図１４Ａの類似するラベルを有するチャネルを配置したものに類似するアップグレード・ステージに対応する。しかし、図１４Ａと図１４Ｂの方式の間の重要な相違は、各アップグレードの後の各タイプの配置されたチャネルの個数と、したがって実現されるシステム容量にある。この相違を、次の表ですぐに見分けることができる。
【表２】
2006005938.tif 000004
【００６０】
当業者は、ＳバンドおよびＬバンドの間の特性周波数（ｆＣ）を適当に選択することによって（図１４Ａ〜図１４Ｂ参照）、システム１００のオペレータが、アップグレードの過程でシステム容量の異なる所望の値を介してステップできることを諒解するであろう。
【００６１】
本発明を、例示的実施形態を参照して説明したが、この説明は、制限的な意味で解釈されることを意図されたものではない。たとえば、図１１Ａのバンド化チャネル構成のＳバンドに図７の交番チャネル構成に類似するチャネルを有することによって、ハイブリッドＤＷＤＭチャネル構成を実現することができる。そのようなハイブリッド・チャネル構成では、３つの異なる帯域幅値、たとえばそれぞれ約３３ＧＨｚ、約６７ＧＨｚ、および約１００ＧＨｚを有する３組のチャネルがある。第１組および第２組のチャネルは、互いにインターリーブされ、Ｓバンドを占め、第３組のチャネルは、Ｌバンドを占める。図３および図５に示されたＯＡＤＭトポロジのそれぞれを使用して、前記ハイブリッドＤＷＤＭチャネル構成のＯＡＤＭを実施することができる。波長ブロッカの異なる設計を、本発明の範囲および原理から逸脱せずに使用することができる。たとえば、波長ブロッカ４１６（図４）、スイッチ４３０、および信号ダンプ４４０を、固定された鏡のアレイ、および格子４２０と固定された鏡のアレイとの間に位置決めされたセグメント化されたＬＣ（液晶）マスクに置換することができる。ＬＣマスクの各セグメントを、オンまたはオフにして、それぞれ、格子とセグメントに対応する固定された鏡との間を移動する光を阻止し、通過させることができる。異なるＤＷＤＭチャネル配置方式を、本発明の原理から逸脱せずに実施することができる。本発明のマルチプレクサおよびデマルチプレクサを、ＯＡＤＭでの使用の文脈で説明したが、当業者は、これらのマルチプレクサおよびデマルチプレクサを、他の光ルーティング・デバイスでも使用できることを理解するであろう。本発明のＯＡＤＭは、３組以上のチャネルを処理するように設計することができる。その結果、そのようなＯＡＤＭのそれぞれは、対応する個数の分枝を有し、各分枝は、チャネルの対応する組のＤＷＤＭチャネルを処理するように適合される。本発明の説明した実施形態ならびに他の実施形態の、本発明が関係する技術の技量を有するものに明白な様々な変更は、請求項に示された本発明の原理および範囲に含まれると考えられる。
【００６２】
方法クレームのステップは、存在する場合に、請求項詳述がこれらのステップの一部またはすべてを実施する特定のシーケンスを他の形で暗示しない限り、対応するラベリングを有する特定のシーケンスで示されるが、これらのステップは、必ずしも、その特定のシーケンスで実施されることに制限されない。
【図面の簡単な説明】
【００６３】
【図１】本発明を実践できる、光通信システムを示すブロック図である。
【図２】図１に示された通信システムのノード内で使用できる、光アド／ドロップ・マルチプレクサ（ＯＡＤＭ）を示す図である。
【図３】図２に示されたＯＡＤＭを実施するのに使用することができるＯＡＤＭを示すブロック図である。
【図４】図３のＯＡＤＭで使用できる波長ブロッカを示すブロック図である。
【図５】図２に示されたＯＡＤＭを実施するのに使用することができるもう１つのＯＡＤＭを示すブロック図である。
【図６Ａ】図２、図３、および図５に示されたＯＡＤＭのある実施形態で使用できる２つの代表的なＤＷＤＭチャネル構成を絵図的に示す図である。
【図６Ｂ】図２、図３、および図５に示されたＯＡＤＭのある実施形態で使用できる２つの代表的なＤＷＤＭチャネル構成を絵図的に示す図である。
【図７】図２、図３、および図５のＯＡＤＭで使用できるＤＷＤＭチャネル構成を絵図的に示す図である。
【図８】図３および図５のＯＡＤＭで使用できるインターリーバの特性を絵図的に示す図である。
【図９Ａ】図３および図５のＯＡＤＭで使用できるＤＭＵＸおよびＭＵＸを示すブロック図である。
【図９Ｂ】図３および図５のＯＡＤＭで使用できるＤＭＵＸおよびＭＵＸを示すブロック図である。
【図１０Ａ】図７のＤＷＤＭチャネル構成のチャネル配置方式を絵図的に示す図である。
【図１０Ｂ】図７のＤＷＤＭチャネル構成のチャネル配置方式を絵図的に示す図である。
【図１１Ａ】図２、図３、および図５のＯＡＤＭで使用できるＤＷＤＭチャネル構成を絵図的に示す図である。
【図１１Ｂ】図３および図５のＯＡＤＭで使用できるもう１つのＤＭＵＸおよびもう１つのＭＵＸの特性を示す図である。
【図１２】図１１Ｂに示されたＤＭＵＸを実施するのに使用できるＤＭＵＸを示すブロック図である。
【図１３】図１１Ｂに示されたＭＵＸを実施するのに使用できるＭＵＸを示すブロック図である。
【図１４Ａ】図１１ＡのＤＷＤＭチャネル構成のチャネル配置方式を絵図的に示す図である。
【図１４Ｂ】図１１ＡのＤＷＤＭチャネル構成のチャネル配置方式を絵図的に示す図である。
【図１】
2006005938.tif 000005
【図２】
2006005938.tif 000006
【図３】
2006005938.tif 000007
【図４】
2006005938.tif 000008
【図５】
2006005938.tif 000009
【図６Ａ】
2006005938.tif 000010
【図６Ｂ】
2006005938.tif 000011
【図７】
2006005938.tif 000012
【図８】
2006005938.tif 000013
【図９Ａ】
2006005938.tif 000014
【図９Ｂ】
2006005938.tif 000015
【図１０Ａ】
2006005938.tif 000016
【図１０Ｂ】
2006005938.tif 000017
【図１１Ａ】
2006005938.tif 000018
【図１１Ｂ】
2006005938.tif 000019
【図１２】
2006005938.tif 000020
【図１３】
2006005938.tif 000021
【図１４Ａ】
2006005938.tif 000022
【図１４Ｂ】
2006005938.tif 000023